【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
ルテチウムと、セリウムと、少なくとも一つのアルカリ土類金属と、アルミニウムと、酸素と、少なくとも一つのハロゲンと、からなるセリウム付活された緑色放出ルテチウムアルミネート蛍光体であって、
前記蛍光体は波長範囲３８０〜４８０ｎｍの励起放射線を吸収するよう構成され、かつ、波長範囲５００〜５５０ｎｍのピーク放出波長の光を放出するように構成される、緑色放出ルテチウムアルミネート蛍光体。
【請求項２】
前記励起放射線は、波長範囲４２０〜４８０ｎｍである、請求項１に記載の緑色放出ルテチウムアルミネート蛍光体。
【請求項３】
前記少なくとも一つのアルカリ土類金属はマグネシウムである、請求項１に記載のセリウム付活された緑色放出ルテチウムアルミネート蛍光体。
【請求項４】
前記少なくとも一つのアルカリ土類金属はストロンチウムである、請求項１に記載のセリウム付活された緑色放出ルテチウムアルミネート蛍光体。
【請求項５】
前記少なくとも一つのハロゲンはフッ素である、請求項１に記載のセリウム付活された緑色放出ルテチウムアルミネート蛍光体。
【請求項６】
ルテチウムアルミネートと、MF2添加物と、セリウム付活剤とを含む緑色放出蛍光体であって、
前記Mは、MgまたはSrからなる群から選択される二価のアルカリ土類金属であり、
前記MF2添加物は、前記蛍光体に５重量％以下の量で含まれる、緑色放出蛍光体。
【請求項７】
前記緑色放出蛍光体は波長範囲４２０〜４８０ｎｍの励起放射線を吸収するよう構成され、かつ、波長範囲５００〜５５０ｎｍのピーク放出波長の光を放出するように構成される、請求項６に記載の緑色放出蛍光体。
【請求項８】
前記ルテチウムアルミネートは、式Lu3Al5O12を有するＬＡＧ系化合物である、請求項６に記載の緑色放出蛍光体。
【請求項９】
イットリウム(Y)、スカンジウム(Sc)、ガドリニウム(Gd)及びテルビウム(Tb)のいずれかの元素をさらに含む、請求項６に記載の緑色放出蛍光体。
【請求項１０】
前記M2+はLu3+格子サイトを占有する、請求項６に記載の緑色放出蛍光体。
【請求項１１】
式A3BxAl5O12Cy：Ceを有するハロゲン化アルミネートを含む緑色放出蛍光体であって、前記式中、
Aは、Luであり、
Bは、Mg及びSrのうちの少なくともひとつであり、
Cは、Fであり、
yは2xであり、
BにCを加えた合計は、０重量％超５重量％未満である、
緑色放出蛍光体。
【請求項１２】
前記緑色放出蛍光体は波長範囲４２０〜４８０ｎｍの励起放射線を吸収するよう構成され、かつ、波長範囲５００〜５５０ｎｍのピーク放出波長の光を放出するように構成される、請求項１１に記載の緑色放出蛍光体。
【請求項１３】
式(Y,Lu,A)x(Al)5(O,F,Cl)12+(3/2)x：Ce,Euを有するハロゲン化アルミネートを含む緑色放出蛍光体であって、前記式中、
Aは、Mg、Sr、Ca及びBaからなる群より選択され、
xは、２．５〜３．５（ただしxは３に等しくない）の範囲である
緑色放出蛍光体。
【請求項１４】
式(A1-x3+Bx2+)mAl5(O1-y2-Cy1-)n：Ceを有するアルミネートを含む緑色放出蛍光体であって、前記式中、
Aが、Y、Sc、Gd、Tb及びLuのうちの少なくともひとつであり、
Bが、Mg、Sr、Ca及びBaのうちの少なくともひとつであり、
Cが、F、Cl及びBrのうちの少なくともひとつであり、
０≦x≦０．５であり、
０≦y≦０．５であり、
２≦m≦４（ただし、mは３に等しくない）であり、かつ、
１０≦n≦１４である、
緑色放出蛍光体。
【請求項１５】
前記緑色放出蛍光体は波長範囲４２０〜４８０ｎｍの励起放射線を吸収するよう構成され、かつ、波長範囲５００〜５５０ｎｍのピーク放出波長の光を放出するように構成される、請求項１４に記載の緑色放出蛍光体。
【請求項１６】
式(A1-x3+Bx2+)mAl5(O1-y2-Cy1-)n：Ceを有するアルミネートを含む緑色放出蛍光体であって、
前記式中、
Aが、Y、Sc、Gd、Tb及びLuのうちの少なくともひとつであり、
Bが、Mg、Sr、Ca及びBaのうちの少なくともひとつであり、
Cが、F、Cl及びBrのうちの少なくともひとつであり、
０≦x≦０．５であり、
０≦y≦０．５であり、
２≦m≦４であり、かつ、
１０≦n≦１４（ただし、nは１２に等しくない）である、
緑色放出蛍光体。
【請求項１７】
前記緑色放出蛍光体は波長範囲４２０〜４８０ｎｍの励起放射線を吸収するよう構成され、かつ、波長範囲５００〜５５０ｎｍのピーク放出波長の光を放出するように構成される、請求項１６に記載の緑色放出蛍光体。
【請求項１８】
波長２８０ｎｍ超の放射線を提供するよう構成された放射線源と、
ルテチウムと、セリウムと、少なくとも一つのアルカリ土類金属と、アルミニウムと、酸素と、少なくとも一つのハロゲンと、からなるセリウム付活された緑色放出ルテチウムアルミネート蛍光体であって、前記蛍光体は波長範囲４２０〜４８０ｎｍの励起放射線を吸収するよう構成され、かつ、波長範囲５００〜５５０ｎｍのピーク放出波長の光を放出するように構成される、緑色放出ルテチウムアルミネート蛍光体と、
赤色放出蛍光体または黄色放出蛍光体のうちの少なくともひとつと、
を含む、白色ＬＥＤ。
【請求項１９】
波長２８０ｎｍ超の放射線を提供するよう構成された放射線源と、
式(A1-x3+Bx2+)mAl5(O1-y2-Cy1-)n：Ceを有するアルミネートを含む緑色放出蛍光体であって、前記式中、
Aが、Lu、Sc、Gd及びTbのうちの少なくともひとつであり、
Bが、Mg、Sr、Ca及びBaのうちの少なくともひとつであり、
Cが、F、Cl及びBrのうちの少なくともひとつであり、
０≦x≦０．５であり、
０≦y≦０．５であり、
２≦m≦４（ただし、mは３に等しくない）、であり、かつ、
１０≦n≦１４である緑色放出蛍光体と、
赤色放出蛍光体または黄色放出蛍光体のうち少なくともひとつと、
を含む、白色ＬＥＤ。
【請求項２０】
前記赤色放出蛍光体は窒化物である、請求項１９に記載の白色ＬＥＤ。
【請求項２１】
前記窒化物は式(Ca,Sr)AlSiN3：Eu2+を有する、請求項２０に記載の白色ＬＥＤ。
【請求項２２】
前記黄色放出蛍光体はシリケートである、請求項１９に記載の白色ＬＥＤ。
【請求項２３】
前記シリケートは式(Sr,Ba)2SiO4：Eu2+を有する、請求項２２に記載の白色ＬＥＤ。
【請求項２４】
ルテチウムと、少なくとも一つのアルカリ土類金属と、アルミニウムと、酸素と、少なくとも一つのハロゲンと、からなるセリウム付活された緑色放出ルテチウムアルミネート蛍光体であって、前記蛍光体は波長範囲４２０〜４８０ｎｍの励起放射線を吸収するよう構成され、かつ、波長範囲５００〜５５０ｎｍのピーク放出波長の光を放出するように構成された緑色放出ルテチウムアルミネート蛍光体
を含む、一般的照明装置。
【請求項２５】
前記少なくとも一つのアルカリ土類金属はマグネシウムである、請求項２４に記載の一般的照明装置。
【請求項２６】
前記少なくとも一つのアルカリ土類金属はストロンチウムである、請求項２４に記載の一般的照明装置。
【請求項２７】
前記少なくとも一つのハロゲンはフッ素である、請求項２４に記載の一般的照明装置。
【請求項２８】
ルテチウムアルミネートと、SrF2添加物と、セリウム付活剤とを含む緑色放出蛍光体であって、
前記SrF2添加物は、前記蛍光体に２〜５重量％の量で含まれる、緑色放出蛍光体。
【請求項２９】
前記緑色放出蛍光体は波長範囲４２０〜４８０ｎｍの励起放射線を吸収するよう構成され、かつ、波長範囲５２３〜５３５ｎｍのピーク放出波長の光を放出するように構成される、請求項２８に記載の緑色放出蛍光体。
【請求項３０】
前記ルテチウムアルミネートは、式Lu3Al5O12を有するＬＡＧ系化合物である、請求項２８に記載の緑色放出蛍光体。
【請求項３１】
イットリウム(Y)、スカンジウム(Sc)、ガドリニウム(Gd)及びテルビウム(Tb)のいずれかの元素をさらに含む、請求項２８に記載の緑色放出蛍光体。
【請求項３２】
ルテチウムアルミネートと、MgF2添加物と、セリウム付活剤とを含む緑色放出蛍光体であって、
前記MgF2添加物は、前記蛍光体に１〜５重量％の量で含まれる、緑色放出蛍光体。
【請求項３３】
前記緑色放出蛍光体は波長範囲４２０〜４８０ｎｍの励起放射線を吸収するよう構成され、かつ、波長範囲５１０〜５２７ｎｍのピーク放出波長の光を放出するように構成される、請求項３２に記載の緑色放出蛍光体。
【請求項３４】
前記ルテチウムアルミネートは、式Lu3Al5O12を有するＬＡＧ系化合物である、請求項３２に記載の緑色放出蛍光体。
【請求項３５】
イットリウム(Y)、スカンジウム(Sc)、ガドリニウム(Gd)及びテルビウム(Tb)のいずれかの元素をさらに含む、請求項３２に記載の緑色放出蛍光体。
【請求項３６】
式(A1-x3+Bx2+)mAl5(O1-y2-Cy1-)n：Ceを有するアルミネートを含む緑色放出蛍光体であって、前記式中、
Aが、Lu、Sc、Gd及びTbのうちの少なくともひとつであり、
Bが、Mg、Sr、Ca及びBaのうちの少なくともひとつであり、
Cが、F、Cl及びBrのうちの少なくともひとつであり、
０≦x≦０．５であり、
０≦y≦０．５であり、
２≦m≦４（ただし、mは３に等しくない）、であり、かつ、
１０≦n≦１４である緑色放出蛍光体
を含む一般的照明装置。